Podtech/llm-jp-corpus-v4-ja_patent huggingface dataset:
(57)【要約】      （修正有）【課題】管内に臭気が残り易い排水・下水管における微生物を使用した消臭材を提供する。【解決手段】微生物資材１に、高分子系糊材２、又は、こんにゃく粉３、あるいは、こんぶ粉４を適宜な割合で混合して設け、これらを、耐水性を有し、開閉可能なチャック５を有する袋６に入れて排水・下水管の消臭材を構成する。使用に際しては、該消臭材５０ｃｃに対して、１．５リットルのミネラルウオーターを入れ、よく攪拌し、約２時間経過して、臭いの発生する箇所に流し込み消臭する。【選択図】図１
0003150264.tif 000002
【実用新案登録請求の範囲】
【請求項１】
微生物資材（１）に、高分子系糊材（２）、または、こんにゃく粉（３）、あるいはこんぶ粉（４）を適宜な割りで混合して設け、これらを、開閉可能なチャック（５）を有する耐水性を有する袋（６）に入れてなることを特徴とする排水・下水管の消臭材。
【考案の詳細な説明】
【技術分野】
【０００１】
この考案は、排水・下水管の消臭材である。
【背景技術】
【０００２】
従来、家庭用の排水・下水管の消臭には、塩素系の除菌剤を使用している。例えば、特許文献１のように。
【先行技術文献】
【特許文献】
【０００３】
【特許文献１】特許第３１２７３９４号公報
【０００４】
そして、塩素系の消臭材は、他の化学物質と反応して、毒性のガスを発生し、人身事故につながる危険性があった。
【０００５】
しかも、塩素系の除菌剤は、使用後には、除菌・消臭効果はあっても、管内に生息している微生物もいなくなり、雑菌が増えて、再度、臭いが発生するため消臭効果が、比較的短いという欠点があった。
【０００６】
そこで、塩素系の除菌剤に代え、雑菌を処理する微生物を使用することも考えられるが、この微生物が管内に長く留まる必要がある。
【考案の概要】
【考案が解決しようとする課題】
【０００７】
そこで、この考案の課題は、従来の塩素系の消臭剤に代えて、微生物を使用し、処理後も管内の臭気が長続きする排水・下水管の消臭材を開発・提供することにある。
【課題を解決するための手段】
【０００８】
上記の課題を解決するため、この考案は、微生物資材に凝集材を高分子系糊材等を混合して排水管に流しても、該管内に留まり臭気の原因である雑菌を処理する排水・下水管の消臭材を開発・提供することにある。
【考案の効果】
【０００９】
この考案によると、安全な微生物資材（１）に、高分子系糊材（２）、又は、こんにゃく（３）、あるいは、こんぶ粉（４）と予め混合して設けているため便利であり、これらを耐水性素材で、かつ、開閉可能なチャック（５）付き袋（６）に収納するため、必要時に、その都度、必要量だけを取り出して使用でき、また、チャック（５）を締めて保存できる等極めて有益なる効果を奏する。
【図面の簡単な説明】
【００１０】
【図１】この考案の一実施例を示し、（ａ）（ｂ）（ｃ）はそれぞれの実施例を示す説明図である。
【図２】この考案の一実施例を示す斜視図である。
【考案を実施するための形態】
【００１１】
以下、本考案について詳細に説明する。なお、本考案においては、以下の記述に限定されるものではなく、本考案の要旨を逸脱しない範囲においては適宜変更可能である。
【実施例】
【００１２】
本考案の一実施例を図面に基づいて詳述すると、微生物資材（１）に、高分子系糊材（２）、または、こんにゃく粉（３）、あるいはこんぶ粉（４）を適宜な割りで混合して設け、これらを、開閉可能なチャック（５）を有する耐水性を有する袋（６）に入れてなることを特徴とする排水・下水管の消臭材から構成される。
【００１３】
尚、微生物資材（１）と、高分子系糊材（２）との割合は、微生物資材（１）３４ｃｃに対して、高分子系糊材（２）は、１６ｃｃである。
また、微生物資材（１）と、こんにゃく粉（３）との割合は、微生物資材（１）は、３８．５ｃｃに対して、こんにゃく粉（３）は、１１．５ｃｃである。
さらに、微生物資材（１）と、こんぶ粉（４）との割合は、微生物資材（１）３８．５ｃｃに対して、こんぶ粉（４）は、１１．５ｃｃである。
【００１４】
微生物資材（１）は、好気性の微生物であり、この考案の使用にあたっては、この考案５０ｃｃに対して、ミネラルウオーター１．５リットルを混合して、ゲル状にし、約２時間経過して、臭いの発生する箇所に流し込むものである。
【００１５】
尚、微生物資材（１）とは、好気性の微生物であり、本考案の使用にあたっては、本考案５０ｃｃに対して、ミネラルウオーター１．５リットルを混合して、ゲル状にし、約２時間経過して、臭いの発生する排水管等の箇所に流し込むものである。
【００１６】
そして、これらをゲル状にすることによって、排水管内のところどころに留まることにより、該管内に微生物の力が活発となり、臭いを削減するものである。
【産業上の利用可能性】
【００１７】
この考案のよると、排水・下水管の消臭材の製造技術を確立し、それに基づいて製造・販売することにより、産業上の利用可能性があるものである。
【符号の説明】
【００１８】
１  微生物資材
２  高分子系糊材
３  こんにゃく粉
４  こんぶ粉
５  開閉可能なチャック
６  袋
【図１】
0003150264.tif 000003
【図２】
0003150264.tif 000004
(57)【要約】      （修正有）【課題】趣向に富み、加えて廃棄物としての処理も公害発生の少ない方法でできるクラフトシートを提供する。【解決手段】細長い紙を撚った紙紐(太さ１ｍｍ位)を並接して厚い紙バンドを作り、これらを格子状に編んで立体的なシートを作り、これをカーペット、家具、建材、カバン生地、インテリア、手工芸等の広い分野で使用できるようにしようとするものであり、かつ趣向に富んだものとし、加えて廃棄物としての処理も公害発生の少ない方法でできる。【選択図】図１
0003150284.tif 000002
【実用新案登録請求の範囲】
【請求項１】
複数本の紙紐を接着剤を介し並列接着させて紙バンドを形成し、この紙バンドの複数本を格子状に編み、互いの紙バンドの交差する所要箇所を固定させてなるクラフトシート。
【考案の詳細な説明】
【技術分野】
【０００１】
本考案は多数の紙紐を並列に接着した紙バンドを格子状に編んだクラフトシートに関する。
【背景技術】
【０００２】
従来家具、建材、カバン等に使用されるシートは、合成樹脂フィルム、革材等平面的な素材が使用されているが、平面的で趣向に乏しく、殊に合成樹脂フィルム等のシートは廃棄物としての処理方法では公害の発生原因となる恐れがある等社会問題となっている。又単なる紙シートの場合は強度的にも弱く使用目的が限定されることが多い。
【考案の概要】
【考案が解決しようとする課題】
【０００３】
そこで本考案では、細長い紙を撚った紙紐(太さ１ｍｍ位。)を並接して厚く立体的な紙バンドを作り、これらを編んで立体的なシートを作り、これをカーペット、家具、建材、カバン生地、インテリア、手工芸等の広い分野で使用できるようにしようとするものであり、かつ趣向に富んだものとし、加えて廃棄物としての処理も公害発生の少ない方法でできるようにしようとするものである。
【課題を解決するための手段】
【０００４】
複数本の紙紐を接着剤を介し並列接着させて紙バンドを形成し、この紙バンドの複数本を格子状に編み、互いの紙バンドの交差する所要箇所を固定させてなるクラフトシートである。
【考案の効果】
【０００５】
本考案の効果として、厚く立体的なシートとなり、引っ張り強度は勿論、比較的保形成があるので継ぎ合わせ作業等がし易く、これをカーペット、建材、カバン生地、インテリア等の広い分野で使用でき、趣向に富んだ素材として期待でき、加えて廃棄物としての処理も殆どが紙の焼却処理か再生処理も可能で公害発生の少ないものとして有益である。更に紙紐に色付けすることによりいろんな線状の配色を創作でき斬新な素材として利用できる。
【実施例】
【０００６】
図1に従って説明すると、細長い紙を撚った太さ１ｍｍ位の紙紐１，１…の複数本(例えば２４本位)を接着剤(接着手段としてはどぶ付け、塗布などがある。)を介し並列接着させて約２８ｍｍ幅の比較的広幅の紙バンド２，２…を形成し、この紙バンド２，２の格子状に編んで、互いの紙バンドの交差する所要箇所を接着剤、逢着などの汎用手段により固定させてなるものである。
図2は幅の異なる紙バンド２，２を格子状に編みこんだものである。
【０００７】
紙バンド２の幅は使用目的により任意であるが、余り広幅のものとなるときは予め幅狭い紙バンドを作っておき、これら紙バンド間には革、合成樹脂布、布製等で平紐状の継ぎ布を当てて糸により逢着させてもよい。紙紐１，１…の太さ、本数や、紙バンド２，２…の幅や枚数は生地としての使用目的により任意にできる。
【０００８】
前述のように、紙紐１、紙バンド２の太さ、本数、幅などは使用目的によって変更できるが、あまり紙紐１を細くすると接着装置の引っ張りに耐えることができなくなる恐れがあるが、通常は太さが約１mmが望ましい。
【０００９】
クラフトシートとしては正方形が望ましく、この単シートの縦横に、更に別の単シートを接続するときは格子状の模様が連続するよう接着剤等により継ぎ合わせていく。
このクラフトシートを映写スクリーンとして使用するときは紙紐は白色が望ましいが、格子模様に編んだときの隙間が特殊映像として反映し独特の映像として視認することができる。
【図面の簡単な説明】
【００１０】
【図１】本考案のクラフトシートの拡大部分説明図。
【図２】他実施例に係るクラフトシートの拡大部分説明図。
【符号の説明】
【００１１】
１：紙紐
２：紙バンド
【図１】
0003150284.tif 000003
【図２】
0003150284.tif 000004
(57)【要約】      （修正有）【課題】既設の水洗トイレを改造せずに、低コストで誰でも簡単に設置出来、水道水の使用を軽減出来る、節水トイレを提供する。【解決手段】風呂の残り湯、洗面排水等捨てている水を省エネとコスト低減のため、バケツ、容器等を使って貯水出来る、給水タンク１を既設水洗タンク５の上の位置に設置し、その給水タンク１から開閉コック２とホース４を通じて、水の自重で既設水洗タンク５に給水する装置を構成する。使用に当たり、水洗タンク５に必要な量は、タイマー３の目盛りで設定し給水する。【選択図】図１
0003150989.tif 000002
【実用新案登録請求の範囲】
【請求項１】
給水タンク１と、給水量を設定する板バネ式タイマー３と、そのタイマー３で設定した水量を既設水洗タンク５に給水するための、開閉コック２とホース４で構成する、水洗トイレ節水用、タイマー付給水タンクである。
【考案の詳細な説明】
【技術分野】
【０００１】
既設水洗トイレの水洗タンクに給水する、給水タンクに関するものである。
【背景技術】
【０００２】
家庭用水洗トイレの多くは、水道水を使用して水洗をおこなっている。
【０００３】
また、雨水、風呂の残り湯等を利用した水洗トイレ用のタンクも考案されているが、既設水洗タンクの改造を必要としたり、給水タンクに給水するための電動ポンプを使用したりして、省エネ低コストでない面もある。
【考案の開示】
【考案が解決しようとする課題】
【０００４】
現状の水洗トイレは、水道水を多く使用しているため経費が掛かる。
【０００５】
現在水洗トイレの節水に関する考案は、既設水洗トイレの水洗タンクの改造を行うなど、改造コストが掛かる場合が多い。また改造に専門的技術が必要。
【課題を解決するための手段】
【０００６】
風呂の残り湯等を貯水する給水タンク１と給水量を設定する板バネ式タイマー３で設定した水量を、コック２とホース４を通して、既設水洗タンク５に給水するタイマー付給水タンクを作製する。
【０００７】
また、一般の人でも簡単に組み立て設置出来る給水タンク１と、給水の開始と停止も手で操作出来るタイマー３付コック２を考案する事により、既設の水洗トイレを、風呂の残り湯等を利用した、節水トイレに改善することが出来る。
【考案の効果】
【０００８】
本考案の給水タンク１で貯水した水を、既設水洗タンク５に風呂の残り湯等を給水する事により、水道水と、風呂の残り湯等の併用が可能になり、大幅な節水が出来る。また軽量で独立した給水タンク１のため、誰でも簡単に既設トイレ内に設置出来る。
【考案を実施するための最良の形態】
【０００９】
給水タンク１へ風呂の残り湯の貯水は、省エネのため電動給水ポンプ等の動力は使用せず、バケツ等の容器を使用して貯水する。貯水した給水タンク１の水は、用便後既設水洗タンク５に給水するため、コック２に付いている板バネ式タイマー３の目盛り２０を手でセットし開閉コック１６を開くことにより、既設水洗タンク５に給水される。なお給水量の増減及び停止は、タイマー３の目盛り２０にて行う。
【００１０】
一方、既設水洗タンク５については、用便後洗浄レバー６を引き洗浄水を便器１２に流す。これにより既設水洗タンク５内の水は減少し、水位フロート８が下がり水位フロート弁が開き水道水が水洗タンク５に供給される。
【００１１】
従って、既設水洗タンク５は水道水と風呂の残り湯を同時に供給されることにより、水位フロート８は上がり水道水は停止する。この時水道水の使用を減らし、節水効果を高めたい場合は、水道弁１０を絞り水道水を減少させる。また水道水の増減に合わせて給水タンク１からの出る量もタイマー３の目盛り２０により増減させる。
【００１２】
給水タンク１とコック２とタイマー３については製作を容易にするため、それぞれ独立した形態にしているが接続ネジ１３と１４と１８にて組み立てを行い使用する。
【図面の簡単な説明】
【００１３】
【図１】タイマー付給水タンクと既設水洗タンクの全体構成図及び一部断面図。
【図２】給水タンクの断面図。
【図３】タイマーとコックの断面図。
【符号の説明】
【００１４】
１  貯水及び給水タンク
２  開閉コック
３  板バネ式タイマー
４  ホース
５  既設水洗タンク
６  洗浄レバー
７  手洗い水排水口
８  水位検知フロート
９  水道管
１０  水道弁
１１  手洗い用蛇口
１２  便器
１３  コック取り付け用ネジ
１４  給水コック取り付け用ネジ
１５  ホース取り付け口
１６  コック開閉部
１７  コック開閉部とタイマー接続軸
１８  コックとタイマー組み立て用ネジ
１９  コックとタイマー組み立て用ボルト
２０  給水量設定目盛り
【図１】
0003150989.tif 000003
【図２】
0003150989.tif 000004
【図３】
0003150989.tif 000005
(57)【要約】【課題】構造が比較的簡単で、長さの調節作業が必要でなく、しかも型枠の間隔の如何にかかわらず、型枠への保持が確実に行える伸縮可能なスリーブを提供する。【解決手段】一端にフランジ２を突設した第１の筒体３と、該第１の筒体３の他側より該筒体３に外挿され、両端にフランジ４、５を突設した第２の筒体６と、第１の筒体３のフランジ２と第２の筒体６のフランジ４との間の第１の筒体３上に装着されるコイルバネ７よりなり、使用時においては、両手で第１の筒体３のフランジ２と、第２の筒体６のフランジ５を両側より押え込み、コイルバネ７を圧縮した状態でスリーブ１を把持して型枠８間に入れ、所定位置でフランジ２、５への押えを解除する。押えの解除に伴い、コイルバネ７の作用により、第１の筒体３のフランジ２と第２の筒体６のフランジ５間の間隔が広がり、両側の型枠８に突張った状態で押付けられて保持される。【選択図】図２
0003150938.tif 000002
【実用新案登録請求の範囲】
【請求項１】
鉄筋コンクリート構造物の壁や床の施工を行う際に配管用の貫通孔を形成するために用いるスリーブであって、一端に型枠に当てられるフランジを備えた第１の筒体と、該第１の筒体の他側より外挿され、一端にフランジを備えた第２の筒体と、該第２の筒体のフランジと前記第１の筒体のフランジとの間の第１の筒体上に装着されるコイルバネを有することを特徴とするスリーブ。
【考案の詳細な説明】
【技術分野】
【０００１】
本考案は、鉄筋コンクリート構造物の壁や床施工を行うに際し、配管用の貫通孔を形成するために用いるスリーブに関する。
【背景技術】
【０００２】
型枠により鉄筋コンクリート構造物の壁や床の施工を行う際には、給排水管、冷暖房管、配線等を通す貫通孔を形成するために型枠間にスリーブが配設される。この種のスリーブとしては、紙、樹脂或いは金属製の円筒パイプが用いられ、その施工は通常、型枠間の間隔と一致する長さのスリーブを用い、その両端を型枠の内側に針金やガムテープで一旦仮止めして保持したのち釘止めしていた。
【０００３】
伸縮可能なスライド式のスリーブも多用されている。このスリーブによれば、型枠間の間隔に応じて長さを変えることができるが、型枠への取付作業には変わりがなく、型枠内、とくに配筋された型枠内でスリーブを片手で保持し、別の片手で仮止めしたり、釘止めする作業は容易でなかった。
【０００４】
下記特許文献１には、スリーブをテレスコープ状に伸縮可能とし、スリーブを構成する内筒の外周面の軸方向に鋸歯状の係合帯を設ける一方、該内筒に外嵌する外筒に係合帯に一方向のみ移動可能に係合する爪を設けて長さを調節可能とし、型枠への取付時には、型枠内で両端のフランジが型枠に当たるまで伸ばして、両型枠に保持させ、針金やガムテープにより固定する作業を省くことができるようにしたものが開示されている。
【先行技術文献】
【特許文献】
【０００５】
【特許文献１】特開平１０−１２１７２３号公報
【考案の概要】
【考案が解決しようとする課題】
【０００６】
特許文献１に開示されるスリーブは、内筒に爪を設ける必要があり、構造が複雑で、型枠間に装着する際には伸長させるため、外筒をずらして移動させる作業が必要である。また、長さ調節は係合帯の鋸歯のピッチ分ずつしか行えず、型枠間の間隔によっては保持が弛く、ずれるおそれがある。
【０００７】
本考案は、構造が比較的簡単で、長さの調節作業が必要でなく、しかも型枠の間隔の如何にかかわらず、型枠への保持が確実に行える伸縮可能なスリーブを提供することを目的とする。
【課題を解決するための手段】
【０００８】
本考案のスリーブは、一端に型枠に当てられるフランジを備えた第１の筒体と、該第１の筒体の他側より外挿され、一端にフランジを備えた第２の筒体と、該第２の筒体のフランジと前記第１の筒体のフランジとの間の第１の筒体上に装着されるコイルバネを有することを特徴とする。
【考案の効果】
【０００９】
本考案のスリーブは、使用時において通常、両手でスリーブを把持し、第１の筒体を第２の筒体内に押込み、コイルバネを圧縮して両筒体のフランジ間の間隔を狭めた状態で型枠間に入れ、所定位置でスリーブの把持を解除してコイルバネの作用で伸長させ、スリーブ両端を型枠に当て突張った状態で保持される。
【００１０】
本考案によると、従来の伸縮可能なスライド式のスリーブにコイルバネを加えただけであるから、構造が比較的簡単であること、スリーブを把持してコイルバネを圧縮した状態よりスリーブの把持を解除するだけで型枠間に保持されるようになり、長さを調節する作業が不要で、作業が容易に行えること、長さが無段階で変更可能であり、型枠の間隔の如何にかかわらず、型枠への保持が確実に行えること等の効果を有する。
【００１１】
なお、本考案のスリーブは、第１及び第２の筒体と、コイルバネが必要最小限の構成で、径の異なる筒体を３個以上設けると共に、各筒体のフランジ間にそれぞれコイルバネを設け、テレスコープ状に伸縮可能としたものであってもよい。
【図面の簡単な説明】
【００１２】
【図１】本考案に係わるスリーブの部分断面正面図。
【図２】使用状態における断面図。
【考案を実施するための形態】
【００１３】
以下、本考案の実施形態のスリーブについて図面により説明する。
図１に示すスリーブ１は、一端にフランジ２を突設した第１の筒体３と、該第１の筒体３の他側より該筒体３に外挿され、両端にフランジ４、５を突設した第２の筒体６と、第１の筒体３のフランジ２と第２の筒体６のフランジ４との間の第１の筒体３上に装着されるコイルバネ７よりなり、第１及び第２の筒体３及び６は共に同じ材質であるか、異なった材質の紙、樹脂或いは金属製よりなっている。
【００１４】
使用時においては、両手で第１の筒体３のフランジ２と、第２の筒体６のフランジ５を両側より押え込み、コイルバネ７を圧縮した状態でスリーブ１を把持して図２に示す型枠８間に入れ、所定位置でフランジ２、５への押えを解除する。押えの解除に伴い、コイルバネ７の作用により、第１の筒体３のフランジ２と第２の筒体６のフランジ５間の間隔が広がり、両側の型枠８に突張った状態で押付けられて保持される。この状態で、スリーブを動かして位置調整することも可能である。型枠への保持後、常法のようにしてフランジ２、５が型枠８に釘打ちして固定される。
【００１５】
前記実施形態のスリーブ１は、第１及び第２の筒体３及び６と一つのコイルバネ７よりなっているが、別の実施形態では、径の異なる３個以上の筒体と、各筒体間に装着される２個以上のコイルバネより構成され、全体がテレスコープ状に伸縮できるように構成される。
【符号の説明】
【００１６】
１・・スリーブ
２、４、５・・フランジ
３・・第１の筒体
６・・第２の筒体
７・・コイルバネ
８・・型枠
【図１】
0003150938.tif 000003
【図２】
0003150938.tif 000004
(57)【要約】【課題】本案の目的は、シリンダーの動作で自動充填装置の位置が異なる自動充填装置において、低費用でかつ、人が介在することがないために人為的な表示ミスの防止された自動弁開閉表示装置を提供する事にある。【解決手段】自動充填装置に内臓されている昇降用シリンダーｅにより自動充填装置ｃの位置が下降し、弁開閉用シリンダーｆに取り付けられた自動弁ｄにより開閉する自動充填装置ｃであって、自動充填装置ｃに取り付けられた表示板ａと自動充填装置ｃの外部に固設された開閉の文字を表記した表示板ｂとからなる自動弁開閉表示装置。【選択図】図２
0003150955.tif 000002
【実用新案登録請求の範囲】
【請求項１】
シリンダーの動作で自動充填装置の位置が異なる自動充填装置において、自動充填装置に取り付けられた表示板と自動充填装置の外部に固設された開閉の文字を表記した表示板とからなる自動弁開閉表示装置。
【考案の詳細な説明】
【技術分野】
【０００１】
本案は、バルブの１種である自動弁のうち、シリンダーの動作で自動充填装置の位置が異なる自動充填装置において、前記自動弁の開閉の状態が自動的に表示される自動弁開閉表示装置に関するものである。
【背景技術】
【０００２】
従来のバルブ開閉表示板には、バルブの開閉状態を確認した後でその状態に合わせて、開閉の文字が書かれた表示板の片方の開又は閉の文字の上に別の平板を手動により重ね合わせて固定し、片方の開又は閉の文字を覆い隠す事によって開閉どちらかの文字のみを表示するものが提案されている。（特許文献１）。
【０００３】
【特許文献１】実開平７−１３８２号公報
【０００４】
しかしながら上記表示板では、バルブの開閉状態を目視にて確認し、確認結果に合わせて手動で表示板の開閉状態を変更することが必要であるため、バルブの開閉状態の見間違いや、バルブの開閉状態に合わせて表示板の開閉状態を変更することを忘れたり、誤操作により逆の開閉表示を行うなどの人為的ミスをする危険性があった。
【考案の開示】
【考案が解決しようとする課題】
【０００５】
この考案が解決しようとする課題は、シリンダーの動作で自動充填装置の位置が異なる自動充填装置において、低費用でかつ、人が介在することがないために人為的な表示ミスの防止された自動弁開閉表示装置を提供する点にある。
【課題を解決するための手段】
【０００６】
本考案に係る自動弁開閉表示装置は、自動充填装置に内臓されている昇降用シリンダーｅにより自動充填装置ｃの位置が下降し、弁開閉用シリンダーｆに取り付けられた自動弁ｄにより開閉するで自動充填装置ｃであって、自動充填装置ｃに取り付けられた表示板ａと自動充填装置ｃの外部に固設された開閉の文字を表記した表示板ｂとからなる自動弁開閉表示装置である。
【０００７】
本考案における自動充填装置ｃは昇降用シリンダーｅの動作で自動充填装置ｃの位置が異なるものであれば、その構造は特に制限されない。
【０００８】
本考案における表示板ａは、昇降用シリンダーｅの動作に伴なう自動充填装置ｃの移動に合わせて移動するよう取り付けられていれば、その構造や材質は特に制限されない。
【０００９】
本考案における開閉の文字を表記した表示板ｂは、自動充填装置ｃの移動に合わせて移動する表示板ａによって自動弁ｄの開閉状態が、正しく示されるように自動充填装置ｃに連動しない部分に固設されていれば、その構造や材質は特に制限されない。
【００１０】
本考案における自動充填装置ｃは、自動弁ｄが内臓されており、自動充填装置ｃが上部にある場合、自動弁ｄは閉の状態であり、下部にある場合、自動弁ｄは開の状態となるように設計されているものをいう。
【考案の効果】
【００１１】
上記の手段を用いる事によって、シリンダーの動作で位置が異なる自動充填装置において、低費用でかつ、人が介在することがないために人為的な表示ミスの防止された自動弁開閉表示装置を提供する事が出来る。  さらに表示板ａが開閉の文字を表記した表示板ｂの閉から開の位置に移動することにより充填が開始されることを事前に目視で確認出来るため充填容器等に異常が発生した場合の対応が容易になった。
【考案を実施するための最良の形態】
【００１２】
本考案の自動弁開閉表示装置は、自動充填装置ｃに連動しない部分に固設された開閉の文字を表記した表示板ｂと自動充填装置ｃに取り付けられた表示板ａにより自動弁の開閉状態が表示される。
【図面の簡単な説明】
【００１３】
【図１】本考案の自動弁開閉表示装置を自動弁の開閉時で自動充填装置の位置が異なる自動充填装置に設置した場合の具体的一実施例（自動弁：閉）の正面図である。
【図２】本考案の自動弁開閉表示装置を自動弁の開閉時で自動充填装置の位置が異なる自動充填装置に設置した場合の具体的一実施例（自動弁：開）の正面図である。
【図３】本考案の自動弁開閉表示装置を自動弁の開閉時で自動充填装置の位置が異なる自動充填装置に設置した場合の具体的一実施例（自動弁：閉）の側面図である。
【図４】本考案の自動弁開閉表示装置を自動弁の開閉時で自動充填装置の位置が異なる自動充填装置に設置した場合の具体的一実施例（自動弁：開）の側面図である。
【図５】本考案の自動弁開閉表示装置における表示板の具体的一実施例の正面図である。
【図６】本考案の自動弁開閉表示装置における開閉の文字を表記した表示板の具体的一実施例の正面図である。
【実施例】
【００１４】
以下、添付図に従って、一実施例を説明する。  本考案に係る自動弁開閉表示装置は、図１に示す通り取り付けられる。  図１において自動充填装置ｃは上の位置にあり、内臓される自動弁ｄは閉の状態である。このとき表示板ａは、開閉の文字を表記した表示板ｂの閉の位置にある。まず、充填する前に自動充填装置ｃは昇降用シリンダーｅが空気圧等により動作することで図２の位置まで移動し、表示板ａも、開閉の文字を表記した表示板ｂの開の位置に移動する。  引き続き、弁開閉用シリンダーｆが空気圧等により作動することにより、自動弁ｄが開となり、充填口ｇから充填される。  次に規定量の充填が終了すると空気圧等により弁開閉用シリンダーｆが元の位置に戻され自動弁ｄが開となる。  最後に自動充填装置ｃが図１の位置に戻り、あとは同じ動作が繰り返される。
【符号の説明】
【００１５】
ａ：表示板
ｂ：表示板
ｃ：自動充填装置
ｄ：自動弁
ｅ：昇降用シリンダー
ｆ：弁開閉用シリンダー
ｇ：充填口
【図１】
0003150955.tif 000003
【図２】
0003150955.tif 000004
【図３】
0003150955.tif 000005
【図４】
0003150955.tif 000006
【図５】
0003150955.tif 000007
【図６】
0003150955.tif 000008
(57)【要約】      （修正有）【課題】着用者のカロリー消費量を高めると共に、接地時の衝撃を緩和することが可能な靴を提供すること。【解決手段】靴底の先端近傍部３及び踵部４に、弾性材より成る柱状突起２を略同心円状に設け、該柱状突起２を軟質ゴムで形成する。靴底の先端近傍部及び踵部に、弾性材より成る柱状突起を略同心円状に設けることで、歩行時の地面を蹴り出す力を分散させること（足圧分散）が可能となる。係る足圧分散により通常の靴より歩行が困難となり、足の筋肉使用量が高まる。結果、酸素摂取量、エネルギー代謝が高まりカロリー消費量が高まる。又、副次的に柱状突起が接地時の衝撃を緩衝吸収するため、足首や膝・腰等への負担も軽減できる。【選択図】図１
0003150974.tif 000002
【実用新案登録請求の範囲】
【請求項１】
靴底の先端近傍部３及び踵部４に、弾性材より成る柱状突起２を略同心円状に設けた靴。
【請求項２】
柱状突起２を軟質ゴムで形成した請求項１記載の靴。
【考案の詳細な説明】
【技術分野】
【０００１】
本発明は、歩行時の酸素摂取量や消費カロリー量を増加させることが可能な靴に関する。
【背景技術】
【０００２】
歩行時の消費カロリー量を増加させ、もってダイエット等の効果を発揮することを目的とした靴に関する代表例として、下記特許文献記載のようなものがある。
【０００３】
例えば、靴底最上層部を形成する中底及びミッドソール又はミッドソールにおける踵中央部分の接地圧部と母趾球部近傍の踏み付け部とに形成された切り欠き部と、前記切り欠き部に埋設された弾性を有し縦方向の変位機能を有する容積吸収体と、を有する靴が特許文献１に記載されている。この靴は着用者が歩行時に踵部を深く踏み、蹴り出しも踏み付け部を深く踏み込んで歩行することになり、結果として運動効果を高めるものである。
【０００４】
又、ソール部が少なくともミッドソールとアンダーソールとアウトソールからなり、前記ミッドソールは硬く弾力があり、中間のアンダーソールは弾力的に柔軟であるにも関わらず、負荷状態では作用力によって新たな形状と成り、負荷の作用方向に応じて変形することで運動効果を高める靴が特許文献２に記載されている。
【先行技術文献】
【特許文献】
【０００５】
【特許文献１】特開２００６−２０６５６号公報
【特許文献２】特表２００３−５０８０９８号公報
【考案の概要】
【考案が解決しようとする課題】
【０００６】
本考案の課題は、着用者の酸素摂取量・カロリー消費量を高めると共に、接地時の衝撃を緩和することが可能な靴を提供することにある。
【課題を解決するための手段】
【０００７】
上記課題を解決するために、本考案に係る靴は以下のように構成した。
【０００８】
請求項１:靴底の先端近傍部及び踵部に、弾性材より成る柱状突起を略同心円状に設けた。
【０００９】
請求項２：請求項１記載の靴における柱状突起を軟質ゴムで形成した。
【考案の効果】
【００１０】
本件考案者は、上記課題を解決するため鋭意研究を行い、次のような知見を得た。
【００１１】
すなわち、靴底の先端近傍部及び踵部に、弾性材より成る柱状突起を略同心円状に設けることで、歩行時の地面を蹴り出す力を分散させること（足圧分散）が可能となる。係る足圧分散により通常の靴より歩行が困難となり、足の筋肉使用量が高まる。結果、酸素摂取量、エネルギー代謝が高まりカロリー消費量が高まるのである。
【００１２】
以上のように、本考案に係る靴を着用すれば歩き難さが生じ、つまりは履くだけで運動不足解消に繋がるのである。又、カロリー消費が高まることでダイエット効果も生じるものである。
【００１３】
副次的には、柱状突起が接地時の衝撃を緩衝吸収するため、足首や膝・腰等への負担も軽減できるものである。
【図面の簡単な説明】
【００１４】
【図１】本考案の正面図。
【図２】同じく平面図。
【考案を実施するための形態】
【００１５】
以下、好ましい考案の一実施形態につき図面を参照しながら詳述する。
【００１６】
本考案に係る靴はその靴底に特徴があり、それ以外の部分は通常の靴の製法によって構わない。したがって、以下本考案の特徴たる靴底について概説する。
【００１７】
図１に示すように本考案にかかる靴１は、柱状突起２が靴底の先端近傍部３及び踵部４に略同心円状に設けてある。この柱状突起は軟質ゴム等の弾性材より成り、好ましくはシリコーンゴムで形成することが望まれる。
【００１８】
柱状突起間の隙間は、およそ０．５ｍｍ〜６．０ｍｍの範囲内、すなわち、約０．５ｍｍ、約１．０ｍｍ、約２．０ｍｍ、約３．０ｍｍ、約４．０ｍｍ、約５．０ｍｍ、約６．０ｍｍなどから選択してあることが好ましい。むろん、これは望ましい例示であり、本考案の権利範囲を上記幅に限定するものではない。
【００１９】
柱状突起の高さは、およそ３．０ｍｍ〜１０．０ｍｍの範囲内、すなわち、約３．０ｍｍ、約４．０ｍｍ、約５．０ｍｍ、約６．０ｍｍ、約７．０ｍｍ、約８．０ｍｍ、約９．０ｍｍ、約１０．０ｍｍ、などから選択してあることが好ましい。むろん、これは望ましい例示であり、本考案の権利範囲を上記幅に限定するものではない。
【００２０】
又、柱状突起２の形状は、円柱状、三角柱状、四角柱状、五角柱状であっても良いし、六角柱状であっても良い。また、柱状突起２は、柱のような形状であれば良く、例えば基端部の面積より先端部の面積が狭くなるような先細りの柱状であっても良いし、逆に基端部の面積より先端部の面積が広くなるような先太りの柱状であっても良い。
【００２１】
更に約１ｃｍ厚のインソールを介在させることで、本考案の目指す効果、つまり歩行時の衝撃の緩和や足圧の分散がより効率的に図られるものである。
【符号の説明】
【００２２】
１・・靴
２・・柱状突起
３・・先端近傍部
４・・踵部
【図１】
0003150974.tif 000003
【図２】
0003150974.tif 000004
(57)【要約】      （修正有）【課題】患者の病床上での行為を出来るだけ穏やかに抑制し、看護人等の治療行為が速やかに行われる事を目的とした病衣を提供する。【解決手段】本病衣１は、長い袖部２と付属の紐３により病床９の病床柵１０に結ぶ事により、あるいは両手を胸前部で交差させ背中に廻して囲繞し、前で結ぶ事により患者の行為を抑制する。又、食事や点滴など医療行為１１の時には腕部から指先の先端部までの両開きファスナー６を開ける事により対応する。又、病床９からの転落防止の為、本病衣胸前部に縫い付けてある帯通し４に付属の帯を通し、背中で交差させ両端を病床柵１０に結ぶことで体幹抑制に対応する。【選択図】図２
0003150966.tif 000002
【実用新案登録請求の範囲】
【請求項１】
病衣本体と、この病衣本体の左右に備えられる袖が、肩から手首までの袖より長く、一方が他方の脇下から背中を通して、前記病衣本体の胸前部に囲繞して、相互に両端を、袖口の縫い代に通した紐で巾着状に結束出来る構成となっていることを特徴とした病衣。
【請求項２】
前記袖部は、袖やま部の腕部から指先の先端部において、開口部にリングを備えた両開きファスナーと、そのファスナーの開閉を防止する鍵とを備えたことを特徴とする請求項１記載の病衣。
【請求項３】
病衣本体の胸前部は、締め付け用の帯び通し部を備えたことを特徴とする、請求項１又は２記載の病衣。
【考案の詳細な説明】
【技術分野】
【０００１】
本考案は、例えば痴呆症患者が病床上で着衣し、患者の安全を守るとともに、看護人等の看護作業の効率化を図る病衣に関する。
【背景技術】
【０００２】
痴呆症患者は、無意識にあるいは意識的に病床上で次のような行為をする。
【０００３】
病床上で暴れたり、制止する看護人等に暴力を振るうので、抑制する病衣が必要である。
【０００４】
点滴や医療用のチューブを自己跋扈するので、手を抑制する必要がある。
【０００５】
病床上から転落するので、体幹抑制する必要がある。
【０００６】
夜間、勝手に徘徊するので、体幹抑制する必要がある。
【考案の概要】
【考案が解決しようとする課題】
【０００７】
以上に述べた患者の病床上での行為は、患者自身にとっても又、看護人等の看護作業にとっても著しく弊害をもたらしていた。この為、従来は紐等で患者の手や身体を直接縛っていたが、これは人道上、視覚上も誉められたものでなく又、治療行為や食事時に不便な点が発生した事により。
【０００８】
本考案は、以上のような患者の病床上での行為を出来るだけ穏やかに抑制し、看護人等の治療行為が速やかに行われる事を目的とした病衣である。
【課題を解決するための手段】
【０００９】
そして、本考案は上記目的を達成する為に病衣の袖を長くして、紐を付けることにより病衣其の物で抑制出来るようにし、患者の負担を軽減する。
【００１０】
又、袖やま部腕部から指先先端部までの両開きファスナーの開閉により、抑制中に於いても手や腕が自由になり点滴、治療、食事が出来るので看護人等の看護行為の効率化が図れる。
【００１１】
就寝時等の時は、胸前部帯び通しに帯を通し背中で交差させ病床に体幹抑制することにより患者が病床より転落したり、勝手に徘徊したりすることを抑制する。
【考案の効果】
【００１２】
上述のように本考案の病衣は、患者に負担なく抑制出来、看護人等の作業の効率化を図れる。
【図面の簡単な説明】
【００１３】
【図１】病衣の全体図と各部の名称。
【図２】病衣の使用例とその方法。
【図３】病衣の使用例とその方法。
【図４】病衣の使用例とその方法。
【考案を実施するための形態】
【００１４】
以下、本考案の実施の形態を図１〜図４に基づいて説明する。
【００１５】
図１は、本考案病衣の正面図であって、患者が着衣する病衣本体１を示している。
具体的には、
２病衣本体の左右に備えられ、共に一方が他方の脇下から、背中を通して病衣本体の胸前部に囲繞して、相互に袖口の紐で結束する袖部。
３袖口の縫い代に通し巾着状に結束する紐。
４病衣本体胸前部の左右に縫い付け、締め付け用に備えた帯び通し。
５締め付け用に備えた、付属帯。
６腕部から指先先端部までの袖やまに備えた、点滴等の医療行為や患者の食事時に、腕や手を出す目的の両開きファスナー。
７上記ファスナーを開閉すると共に、患者が開閉するのを防止することに備えた鍵を付けるリング。
８上記リングに備えた、開閉防止用鍵。
【００１６】
図２のように、通常本病衣１の長い袖２を利用して、袖口に備えた紐３を病床柵１０等へ結び抑制する。
【００１７】
腕部から指先先端部までの袖やまに付けた両開きファスナー６は、上記抑制中に点滴や治療の為、注射・チューブ１１挿入時にあるいは食事の時に、ファスナーを開けて腕や手を出す、両開きになっているので必要に応じて開口部の広さを調節出来るとともに、患者により点滴１１等の位置が違う事があるが、点滴チューブ１１等の位置を任意に設定できる。又、開閉用リング７に鍵８をかけ患者がいたずらに開けることを防止出来る。以下、図３・図４とも同じ。
【００１８】
図３のように、患者が暴れたり、暴力を振るうようなときは、長い袖２を利用して抑制する。
患者の両手を袖の中で、胸前部で組ませ、袖の両端を背中に廻して交差させ、もう一度胸前部まで廻して囲繞し,袖口の紐３で結び抑制する。
【００１９】
図４は、患者が病床９から転落したり、病床９を抜け出して徘徊したりするのを防止する為の抑制方法である。胸前部につけた、締め付け用帯び通し４に、付属の帯５を通し、両端を背中へ廻し交差させ、両端を病床柵１０に結び抑制する。
【符号の説明】
【００２０】
１病衣
２長い袖
３袖に付けた紐
４帯び通し
５付属帯
６両開きファスナー
７ファスナー開閉用リング
８開閉防止用鍵
９病床
１０病床柵
１１医療器具
【図１】
0003150966.tif 000003
【図２】
0003150966.tif 000004
【図３】
0003150966.tif 000005
【図４】
0003150966.tif 000006
(57)【要約】      （修正有）【課題】靴下の足裏部に防水加工を施した靴下を提供する。【解決手段】靴下の足裏部全体に伸縮性をもった、ゴム系プラスチックを塗布し、防水効果をもたせたものである。なお、塗布範囲は前部、後部、両側部に余裕巾をもたせたものとなっている。靴下の防水機能のため、油脂分の多いスキンケアクリームやくすりを使用した場合も滲み出なくなり、歩行時の床面等への汚染が改善できる。また、足の治療やケア時の効果のほかに、荒れ性や、乾燥肌には、この靴下の保湿性が有効と思われる。【選択図】図２
0003150074.tif 000002
【実用新案登録請求の範囲】
【請求項１】
靴下の足裏部全体に防水加工を施した靴下。
【考案の詳細な説明】
【技術分野】
【０００１】  本考案は、靴下の防水に関するものである。
【背景技術】
【０００２】  通常、靴下の足裏部は、防水加工が施されていない。
【考案の開示】
【考案が解決しようとする課題】
【０００３】  足にスキンケアクリームや、くすり等を塗った場合、そのままでは歩行時に、床面や、じゅうたん、畳などを汚すことになるため、一般的に靴下をはいているが、油脂分の多いスキンケアクリームやくすりは、滲み出る事もあって不具合である。
【課題を解決するための手段】
【０００４】  このような不具合を解消するため、本考案は靴下の足裏部全体に伸縮性をもった、ゴム系プラスチックを塗布し、防水効果をもたせたものである。なお、塗布範囲は図１に示すように、前部、後部、両側部に余裕巾をもたせたものとなっている。
【考案の効果】
【０００５】  靴下の防水機能のため、油脂分の多いスキンケアクリームやくすりを使用した場合も滲み出なくなり、歩行時の床面等えの汚染が改善できた。
また、足の治療やケア時の効果のほかに、荒れ性や、乾燥肌には、この靴下の保湿性が有効と思われる改善が見られた。
【考案を実施するための最良の形態】
【０００６】  足のケアは夜睡眠中に行うのがベターと思われるので、履いたときの異和感軽減のため、防水剤の使用は必要最小限にとどめる。
【図面の簡単な説明】
【０００７】
【図１】  本考案に係る防水加工を施した靴下の平面図である。
【図２】  防水加工を施した靴下の側面図である。
【符号の説明】
【０００８】  １      靴下へ防水加工した靴下の前部
２      靴下へ防水加工した靴下の後部
３      靴下へ防水加工した靴下の側部
４      靴下へ防水加工した靴下の側部
５      防水加工した靴下側面の防水加工部
【図１】
0003150074.tif 000003
【図２】
0003150074.tif 000004
(57)【要約】      （修正有）【課題】通常の骨つぼに蓮華を施すことを可能にした骨つぼ載置台を提供する。【解決手段】蓮華形状とした骨つぼ載置台を成型し、当該骨つぼ載置台の上に通常の骨つぼを載置して略一体化することにより、全ての骨つぼに蓮華を施すことを可能とする。外観的にも骨つぼの下方に蓮華があることから豪華であり、また美麗である。【選択図】図１
0003150073.tif 000002
【実用新案登録請求の範囲】
【請求項１】
周面を蓮華形状とし、当該蓮華の下部に台座を設けてなる骨つぼ載置台。
【請求項２】
蓮華を上下蓮華としたことを特徴とする請求項１の骨つぼ載置台。
【考案の詳細な説明】
【技術分野】
【０００１】  本考案は、故人の遺骨を納骨する骨つぼの載置台に関するものである。
【背景技術】
【０００２】  従来より骨つぼは白の陶磁器製の蓋付容器が一般的であり、格別に個性的な形状のものはみかけない。骨つぼの周面及び蓋に模様を描いたものは見かけるが、それは単に美観を対象とした模様であり、宗教的意味合いのある模様でもなかった。このように骨つぼは、先祖、故人の悠久の寝所などといわれながら、現在のほとんどの骨つぼが、単なる遺骨収納用の容器となっているのが現状ではないだろうか。【０００３】  仏教の代表的な花は蓮、蓮華であることは知られている。古代インドでは蓮は女性の母体（胎臓）と考えられ、多産・豊穣・幸運・繁栄・長寿・健康を表わしている。『霊山往生』とは浄土の蓮池に咲く蓮華の中で一瞬のうちに不思議な誕生をすることで、悟りを開いて仏になった証として仏様は蓮台に乗っておられます。お位牌の蓮華台を設けるのも、亡き人が成仏し霊山往生した証なのである。【０００４】  このような問題を解決せんとして出願人は、先に骨つぼの下部に蓮華を施した骨つぼを提案し好評を得ているが、現実には蓮華を施されていない通常の骨つぼが数多く市販されているのが現状である。
【考案の開示】
【考案が斛決しようとする課題】
【０００５】  解決しようとする問題点は、一般に市販されている通常の骨つぼに蓮華を施すこと、これが考案が解決しようとする課題である。
【課題を解決するための手段】
【０００６】  蓮華形状とした骨つぼ載置台を成型し、当該骨つぼ載置台の上に通常の骨つぼを載置して略一体化することにより、全ての骨つぼに蓮華を施すことを可能とする、これが課題を解決するための手段である。
【考案の効果】
【０００７】  従来、一般に市販されている骨つぼは陶磁器の単なる白いつぼであったが、本考案は周面に蓮華を形成してなる骨つぼ載置台であるので、従来の骨つぼを当該骨つぼ載置台の上に載置して骨つぼと載置台を略一体化すれば、骨つぼの下部周面に蓮華模様を施した陶磁器製骨つぼと同様になり、外観的にも骨つぼの下方に蓮華があることから豪華であり、また美麗である。しかも、骨つぼが蓮華台に載置されている状態になるので、当該蓮華は納骨される亡き人が成仏し霊山往生できるといわれていることから、骨つぼとしても誠に意義がある等、極めて顕著なる効果を有するものである。
【考案を実施するための最良の形態】
【０００８】  本考案は、周面を蓮華形状とし、当該蓮華の下部に台座を設けてなる骨つぼ載置台であり、更には、蓮華を上下蓮華としたことを特徴とする請求項１の骨つぼ載置台を呈せんとするものである。
【実施例１】
【０００９】  載置台１は略円形で上面２を平らとし、下部３は台座形状として、周面には蓮華４を形成している。蓮華４の形態に限定を受けるものではない。
【実施例２】
【００１０】  載置台１は略円形で上面２を平らとし、下部３は台座形状として、周面には上下蓮華４を形成している。上下蓮華４の形態に限定を受けるものではない。【００１１】  載置台１の上面２に、骨つぼ５の底面計に対応した凹部を設けることも可能である。また蓮華４の下方の台座３を形成せずに、蓮華４部分そのものを載置台とすることもできる。尚、本実施例においては、骨つぼ載置台を略円形としているが、多角形の骨つぼに対応すべく、四角、八角等の多角形とすることも可能である。
【産業上の利用可能性】
【００１２】  本考案は、略円形の周面を蓮華形状とし、当該蓮華４の下部に台座３を設けてなる骨つぼ載置台１であり、更には、蓮華４を上下蓮華としたことを特徴とする骨つぼ載置台１であるから、従来の骨つぼ５を当該骨つぼ載置台１の上に載置して骨つぼ５と載置台１を略一体化すれば、骨つぼの下部周面に蓮華模様を施した陶磁器製骨つぼと同様になり、外観的にも骨つぼの下方に蓮華があることから豪華であり、また美麗である。しかも、骨つぼが蓮華台に載置されている状態になるので、当該蓮華は納骨される亡き人が成仏し霊山往生できるといわれていることから、骨つぼとしても誠に意義がある等、産業上での利用可能性は極めて大きいものがある。
【図面の簡単な説明】
【００１３】
【図１】  骨つぼ載置台の斜視図
【図２】  他の実施例の骨つぼ載置台の正面図
【図３】  骨つぼを載置した状態を示す正面図
【符号の説明】
【００１４】  １  骨つぼ載置台
２  載置台上面
３  載置台下部（台座）
４  蓮華
５  骨つぼ
【図１】
0003150073.tif 000003
【図２】
0003150073.tif 000004
【図３】
0003150073.tif 000005
(57)【要約】      （修正有）【課題】手軽に二重線を引けるようにペン先を加工したペンを提供する。【解決手段】ペン先をＶ字に切り、二股にすることで、一度ペンを動かすだけで定規を使用することなく二重線が引ける。ぺン先をＶ字に加工するだけなので一本のペン先で良い。またペン本体も従来の仕様で済む。【選択図】図１
0003150079.tif 000002
【実用新案登録請求の範囲】
【請求項１】
ペン先をＶ字に切る（加工する）ことで、二重線を手軽に引くことができる、とゆう特徴をもった、楽々二重ペン。
【考案の詳細な説明】
【技術分野】
【０００１】本考案は、ペン先をＶ字にした、ペンに関するものである。
【背景技術】
【０００２】二重線を引くにあたり、二回に分けて線を引く、手間を感じて。
【考案の概要】
【考案が解決しようとする課題】
【０００３】二重線を引く上で、二度ペンを動かして引く手間を省き、一度ペンを動かしただけで二重線を引けるようにする。
【課題を解決するための手段】
【０００４】ペン先をＶ字に切り、二股にすることで、一度ペンを動がすだけで二重線が引ける。
【考案の効果】
【０００５】一度の動作で二本の平行線（二重線）を、定規を使用することなく引くことができる。
特許出願２００５−２７３８８３／特許公開２００６−２４８２１４で多重線文字の書ける筆記具。との事で形状のアイディアが提出されているが、そちらは少なくとも二本以上のペン先を使用することが条件となっており、ペンが何本か必要になる上、ペン本体も幅広の仕様となることが予想される。
本考案は、ぺン先をＶ字に加工するだけなので一本のペン先で良い。またペン本体も従来通りの仕様で済む。
【図面の簡単な説明】
【０００６】
【図１】本考案のぺン先をＶ字に切った（加工した）図
【図２】切込みの深さによりペン先の太さを調整できる図  ａ及びｂ
【符号の説明】
【０００７】  １  ペン本体
２  ペン先
〔図２〕ａ及びｂの説明
ａ  Ｖ字の加工を浅くする⇒ペン先を太くすることができる。
ｂ  Ｖ字の加工を深くする⇒ペン先を細くすることができる。
【図１】
0003150079.tif 000003
【図２】
0003150079.tif 000004
(57)【要約】      （修正有）【課題】上下衣の掛ける順序に関係なく、下衣を何度も持ち替えて調整を図りながら掛けることの無い衣服用ハンガーを提供する。【解決手段】衣服用ハンガー１の下衣掛け部３を２本の下衣掛け棒３ａ、３ｂで構成させることにより、それぞれの吊り元を軸として、手前正面方向に水平可動が可能となる。２本の下衣掛け棒３ａ、３ｂのいずれか一方を手前正面方向に引き出し、その先端から下衣を半分にして掛ける状態で通し入れることにより自由に下衣掛け棒に通し掛けることができるようになる。【選択図】図１
0003150061.tif 000002
【実用新案登録請求の範囲】
【請求項１】
背広など上衣と下衣とを一緒に掛けるハンガーで、上衣を掛ける従来の山形状の上衣掛け部とその両端よりほぼ水平に架けられた下衣掛け部とを備え、その下衣掛け部は両端から伸びた２本の下衣掛け棒で構成され、それぞれは独立して水平に可動するが、下衣を掛けた状態では１本の直線となる衣服用ハンガー。
【請求項２】
前記の下衣掛け部における下衣掛け棒はそれぞれの吊り元部を軸として少なくとも３０度程度、手前正面方向に水平可動出来る請求項１記載の衣服用ハンガー。
【考案の詳細な説明】
【考案の詳細な説明】
【技術分野】
【０００１】  本考案は、背広など、上衣と下衣とを一緒に掛ける衣服用ハンガーに関する。
【背景技術】
【０００２】  従来使用されているこの種の衣服用ハンガーにおいては、ほとんどが上衣を掛ける山形状の上衣掛け部とその両端より水平に架けられた１本の横棒による下衣掛け部より構成されている。【０００３】  特に下衣を掛けるには、その上衣掛け部と下衣掛け部とで囲まれた狭い固定空間を通すしかないが、その時に何度も下衣を持ち替えて調整を図りながら通し掛けている。
【考案が解決しようとする課題】
【０００４】  そうした従来の衣服用ハンガーにおいて衣服を掛ける場合、一般的には上衣から下衣と掛けていくが、特に下衣を掛けるには、山形状の上衣掛け部とその両端、袖部より水平に架けられた下衣掛け部とで囲まれた狭い固定空間を通さねばならなく、既に掛けられた上衣の前身頃等をよけながら、何度も下衣を持ち替えて調整を図りながら通し掛けるには、非常に神経を使い煩わしささえ感じることが度々である。
【課題を解決するための手段】
【０００５】  本考案は、そうした上下衣の掛ける順序に関係なく、下衣を何度も持ち替えて調整を図りながら掛けることの無い、無駄の無い衣服用ハンガーである。
【０００６】  このような衣服用ハンガーを使って衣服を掛けるには、上衣を上衣掛け部に掛けた後、下衣を掛けるのにその下衣掛け部を２本の下衣掛け棒で構成させ、それぞれの吊り元を軸として手前正面方向に水平可動させることにより固定空間は開放空間となり、下衣をその空間に通し易くなり、自由に下衣掛け棒に通し掛けることが出来るようになる。
【考案を実施するための形態】
【０００７】  考案の実施の形態について図面を参照して説明する。
図１は、この衣服用ハンガーに下衣を１枚掛けた１実施例であるが、上衣に対しては上衣掛け部２で、下衣ではその両端、袖部５から伸びた２本の下衣掛け棒３ａ、３ｂによる下衣掛け部３で構成している。
【０００８】  このように構成されている衣服用ハンガーの作用について、以下詳細に説明する。この衣服用ハンガー１を使って衣服を掛ける場合、順序としては脱いだ上衣を上衣掛け部２に掛ける。その際、両袖部５に荷重がかかり、２本の下衣掛け棒３ａ、３ｂの先端部分が中央で圧縮状態になるので、その間に調整巾４をとっている。次に下衣掛け棒３ａ、３ｂのいずれか１方を手前正面方向に引き出しておく。その先端からズボンなど下衣を半分にして掛ける状態で通し入れ、全て入ったら元の１本の直線に下衣掛け棒を戻す。それと同時に入れられた下衣を中央に掛け整える。下衣掛け部の直線を維持するために、袖部５にストッパー７と下衣掛け棒３ａ、３ｂに滑り止め溝８を設けている。
【考案の効果】
【０００９】  本考案は、上述のとおり構成されているので、次に記載する効果を奏する。
【００１０】  衣服用ハンガーに上下衣を掛ける時、その掛ける順序に関係無く、特に下衣を何度も持ち替えて調整を図りながら掛ける事が無く、時間的、労力的、経済的にも無駄が起こらない。
【図面の簡単な説明】
【図１】実施例の全体正面図である。
【図２】図１の１部縦断正面図である。
【図３】図２の１部縦断側面図である。
【図４】本考案に係る衣服用ハンガーの使用状態を示す斜視図である。
【符号の説明】        １  衣服用ハンガー
２  上衣掛け部
３  下衣掛け部
３ａ、３ｂ  下衣掛け棒
４  調整巾
５  袖部
６  軸
７  ストッパー
８  滑り止め溝
９  下衣
【図１】
0003150061.tif 000003
【図２】
0003150061.tif 000004
【図３】
0003150061.tif 000005
【図４】
0003150061.tif 000006